(57)【要約】【課題】本発明は、流量設定値に応じて閉塞検出値を自動的に変化させることで、万一、閉塞が発生しても与薬されない時間を短縮することが可能になるものであり、さらに駆動部の作動状態と閉塞センサーによる液圧値の変化をモニターすることにより、閉塞有無の予測が可能になるので、従来の設定された閉塞値まで、輸液回路内圧上昇を待たずとも、閉塞予告警報により注意喚起が可能になる輸液機器に関するものである。【解決手段】流量設定値が低い場合、閉塞検出値を下げ、流量設定値が高い場合には、閉塞検出値を上げるプログラムＩＣを輸液機器内部に装備する。【選択図】図１
2005305065.tif 000002
【特許請求の範囲】
【請求項１】
（イ）自動輸液機器１にデータ表示部２、データ入力キー３を設ける。
（ロ）自動輸液機器１の内部に流量設定値が低い場合、閉塞検出値を下げ、流量設定値が高い場合には、閉塞検出値を上げるプログラムＩＣ５を設ける。
（ハ）自動輸液機器１の内部にデータ表示部２と流量設定値が低い場合、閉塞検出値を下げ、流量設定値が高い場合には、閉塞検出値を上げるプログラムＩＣ５をつなぐデータ表示部２の出力信号線６、データ入力キー３と流量設定値が低い場合、閉塞検出値を下げ、流量設定値が高い場合には、閉塞検出値を上げるプログラムＩＣ５をつなぐデータ入力キー３の入力信号線７を設ける。
（ニ）自動輸液機器１に閉塞センサー４を設ける。
（ホ）自動輸液機器１の内部に閉塞センサー４と流量設定値が低い場合、閉塞検出値を下げ、流量設定値が高い場合には、閉塞検出値を上げるプログラムＩＣ５をつなぐ液圧値の入力信号線８を設ける。
（ヘ）自動輸液機器１に輸液を開始するスタートスイッチ９、輸液を停止するストップスイッチ１０を設ける。
以上の如く構成された、閉塞検知自動化変機能付き輸液機器。
【請求項２】
プログラムＩＣ５に閉塞センサー４の液圧値の変化をモニターする機能を追加した請求項１の閉塞検知自動化変機能付き輸液機器。
【発明の詳細な説明】
【技術分野】
【０００１】  本発明は、流量設定値に応じて閉塞検出値を自動的に変化させることで、万一、閉塞が発生しても与薬されない時間を短縮することが可能になるものであり、さらに駆動部の作動状態と閉塞センサーによる液圧値の変化をモニターすることにより、閉塞有無の予測が可能になるので、従来の設定された閉塞値まで、輸液回路内圧上昇を待たずとも、閉塞予告警報により注意喚起が可能になる輸液機器に関するものである。
【背景技術】
【０００２】  医療における投薬治療において、極微量から大量までの輸液が行われている。機械的に投薬を行う輸液ポンプやシリンジポンプは、自然落下式や手打ちの輸液方法と比べて、投与量精度が非常に高いため医療現場ではよく用いられている。機械式の注入の利点は薬液に圧力をかけて吐出することができるため、患者の体動変化や薬液粘度・液面変化による圧力変化に対しても安定的に与薬が出来るメリットがある。他にも、薬液を吐出する回路が閉塞した場合、各種センサーで閉塞を検出して警報を発することも可能であるため、意図しない与薬中断に対しても安全性の高い与薬ができる。
微量で効果のある薬液を投与する場合において、与薬ラインに閉塞が発生すれば、即座に閉塞センサーで検出できれば、患者の容態に重大な影響を及ぼすことは少ない。この場合は、閉塞検出センサーの精度と閉塞検出値設定がポイントになる。精度良く与薬ライン内圧を検出するためには、直接液圧を検出すればよいが患者を感染症から守るため、与薬ライン圧力を間接的に計測しなければならないため、検出誤差が大きくなるのが現状である。
このようなことから、微少流量設定における輸液では、閉塞が発生してから設定された与薬ライン液圧になるまで、つまり閉塞を検出できるまでの時間は、数時間から半日かかることも発生している。この現象は輸液・投薬ができていないことになるため、患者の容態に重大な影響を及ぼすことになりかねない。これらのことから、現在では閉塞検出圧力値を可変する機器が多くなっている。しかし、これらの機器は使用する前に閉塞検出を選択するもので、適正に設定してもすべての設定流量において閉塞検出時間の短縮を満足できるものではないのが現状である。
【発明の開示】
【発明が解決しようとする課題】
【０００３】  閉塞検出時間は設定される流量によって大きく変化する。これは、輸液回路の内容量はセット時固定されるため、送り出す液速度により輸液回路内圧上昇時間が比例するためである。従って、低い流量設定時は低い閉塞検出値で、高い流量設定時には高い閉塞検出値を設定すれば理想的になる。本発明は、流量設定値に応じて閉塞検出値を自動的に変化させることで、万一、閉塞が発生しても与薬されない時間を短縮することが可能になるものであり、さらに閉塞センサーによる内圧検出値の変化をとらえることで、閉塞有無の予測が可能になるので、従来の設定された閉塞値まで輸液回路内圧上昇を待たずとも、閉塞予告警報により注意喚起が可能になる。
【課題を解決するための手段】
【０００４】  いま、その構成を説明すると、
（イ）自動輸液機器１にデータ表示部２、データ入力キー３を設ける。
（ロ）自動輸液機器１の内部に流量設定値が低い場合、閉塞検出値を下げ、流量設定値が高い場合には、閉塞検出値を上げるプログラムＩＣ５を設ける。
（ハ）自動輸液機器１の内部にデータ表示部２と流量設定値が低い場合、閉塞検出値を下げ、流量設定値が高い場合には、閉塞検出値を上げるプログラムＩＣ５をつなぐデータ表示部２の出力信号線６、データ入力キー３と流量設定値が低い場合、閉塞検出値を下げ、流量設定値が高い場合には、閉塞検出値を上げるプログラムＩＣ５をつなぐデータ入力キー３の入力信号線７を設ける。
（ニ）自動輸液機器１に閉塞センサー４を設ける。
（ホ）自動輸液機器１の内部に閉塞センサー４と流量設定値が低い場合、閉塞検出値を下げ、流量設定値が高い場合には、閉塞検出値を上げるプログラムＩＣ５をつなぐ液圧値の入力信号線８を設ける。
（ヘ）自動輸液機器１に輸液を開始するスタートスイッチ９、輸液を停止するストップスイッチ１０を設ける。
以上のように装置する。
【発明を実施するための最良の形態】
【０００５】  次に本発明の実施の形態を述べると、
（イ）データ入力キー３を使用し、流量を設定する。
（ロ）設定された流量をもとに、プログラムＩＣ５が、流量設定値が低い場合、閉塞検出値を下げ、流量設定値が高い場合には、閉塞検出値を上げる。
なお、プログラムＩＣ５に閉塞センサー４の液圧値の変化をモニターする機能を入れることにより、閉塞有無の予測が可能になる。
【発明の効果】
【０００６】  したがって、閉塞が発生しても与薬されない時間を短縮することが可能になるものであり、さらに閉塞センサーによる内圧検出値の変化を加えることで、閉塞有無の予測が可能になるので、従来の設定された閉塞値まで輸液回路内圧上昇を待たずとも、閉塞予告警報により注意喚起が可能になる。
【図面の簡単な説明】
【０００７】
【図１】  本発明の斜視図
【符号の説明】
【０００８】１は自動輸液機器
２はデータ表示部
３はデータ入力キー
４は閉塞センサー
５は流量設定値が低い場合、閉塞検出値を下げ、流量設定値が高い場合には、閉塞検出値を上げるプログラムＩＣ
６はデータ表示部の出力信号線
７はデータ入力キーの入力信号線
８は閉塞センサーからの液圧値の入力信号線
９はスタートスイッチ
１０はストップスイッチ
【図１】
2005305065.tif 000003